(57)【要約】【課題】  本発明は、リレーの異常を検知すると共にリレーの異常を表示することができる制御装置及び制御システムを提供する。【解決手段】  本発明に係る、一対の信号線から成る通信線５０６で通信可能に接続された１又は複数のスイッチユニット５０５からの操作信号に応じて、着脱可能に接続された１又は複数のリモコンリレー１２を介して照明機器５０１の通電を制御する監視制御装置１１は、リモコンリレー１２に対応して設けられこのリモコンリレー１２の異常を検知する異常検知部と、異常検知部の検知結果に応じてリモコンリレー１２の異常を表示するリレー異常表示部３７とを備える。【選択図】      図１
2006252985.tif 000002
【特許請求の範囲】
【請求項１】
一対の信号線から成る通信線で通信可能に接続された１又は複数の操作端末器からの操作信号に応じて、着脱可能に接続された１又は複数のリレーを介して負荷機器の通電を制御する制御装置において、
前記リレーに対応して設けられ該リレーの異常を検知する異常検知部と、
前記異常検知部の検知結果に応じて前記リレーの異常を表示する異常表示部とを備えること
を特徴とする制御装置。
【請求項２】
前記異常検知部は、
前記リレーの接続の有無を検知する存在検知部と、
前記リレーのオンオフの動作状態を監視する状態監視部と、
前記リレーのオンオフの制御目標を記憶する制御目標記憶部と、
前記存在検知部の検知結果、前記状態監視部の監視結果及び前記制御目標記憶部の記憶内容に応じて前記リレーが異常であるか否かを判断する異常判断部とを備えること
を特徴とする請求項１に記載の制御装置。
【請求項３】
前記異常検知部が前記リレーの異常を検出した場合に前記リレーを１又は複数回数再度制御するリトライ処理部をさらに備えたこと
を特徴とする請求項１又は請求項２に記載の制御装置。
【請求項４】
前記リレーの制御回数を計数して該計数値が規定回数に達した場合に、前記リレーを交換する推奨時期に達したことを表示するリレー交換推奨表示部をさらに備えたこと
を特徴とする請求項１乃至請求項３の何れか１項に記載の制御装置。
【請求項５】
入力操作に応じて操作信号を送信する操作端末器と、負荷機器への通電をオンオフするリレーと、一対の信号線から成る通信線で１又は複数の前記操作端末器と通信可能に接続されると共に１又は複数の前記リレーが着脱可能に接続され、前記操作端末器からの前記操作信号に応じて前記リレーを介して前記負荷機器の通電を制御する制御装置とを備える制御システムにおいて、
前記制御装置は、請求項１乃至請求項４の何れか１項に記載の制御装置であること
を特徴とする制御システム。
【発明の詳細な説明】
【技術分野】
【０００１】
本発明は、照明機器等の負荷機器を制御する制御装置及び該制御装置を用いた制御システムに関する。
【背景技術】
【０００２】
例えば照明機器等の負荷機器をオンオフ制御する場合、分電盤から負荷機器までの間の電力線に片切りスイッチ等のスイッチを設けることによってオンオフ制御することが可能である。しかしながら、負荷機器の個数が多くなると、電力線を多数引き回す必要があり、施工性及び保守管理性等が悪くなる。また、複数の照明機器を１つのグループに纏めてオンオフ制御するグループ制御や、グループ単位で所定のパターンで制御するパターン制御等の制御を行うことに対しても好ましくない。そのため、分電盤と負荷機器との間に、リレーと、監視制御子機と、監視制御親機と、操作スイッチとを設けた監視制御システムが開発されており、例えば、非特許文献１や特許文献１に開示されている。
【０００３】
図８は、非特許文献１に係る照明監視制御システムの構成を示すブロック図である。図８において、この照明監視制御システム５００は、負荷機器の一例である１又は複数の照明機器５０１と、照明機器５０１に対応して設けられたリモコンリレー５０２と、１又は複数のターミナルユニット（以下、「Ｔ／Ｕ」と略記する。）５０３と、伝送ユニット５０４と、スイッチユニット５０５とを備えて構成され、Ｔ／Ｕ５０３と伝送ユニット５０４とスイッチユニット５０５とは、共通な一対の信号線から成る通信線５０６によって互いに通信可能に接続されている。図８に示す例では、８個の照明機器５０１−１〜５０１−８が示されており、これに応じて８個のリモコンリレー５０２−１〜５０２−８が備えられている。ここで、本明細書において、総称する場合には添え字を省略した参照符号で示し、個別の構成を指す場合には添え字を付した参照符号で示す。
【０００４】
リモコンリレー５０２は、Ｔ／Ｕ５０３の制御によって電力線から照明機器５０１へ供給される電力をオンオフすると共に、そのオンオフの動作状態（オンオフ状態）を照明機器５０１の点消灯の動作状態（点消灯状態）としてＴ／Ｕ５０３へ出力するリレーである。
【０００５】
Ｔ／Ｕ５０３は、通信線５０６を介して伝送ユニット５０４から受信した信号に応じてリモコンリレー５０２を個別にオンオフ制御すると共にリモコンリレー５０２のオンオフ状態（言い換えれば、照明機器５０１の点消灯状態）を通信線５０６を介して伝送ユニット５０４に送信する監視制御子機である。Ｔ／Ｕ５０３は、１又は複数のリモコンリレー５０２を駆動可能に構成されており、図８に示す例では、１個のＴ／Ｕ５０３が４個のリモコンリレー５０４を駆動可能であることから、この照明監視制御システム５００は、リモコンリレー５０１−１〜５０１−４を駆動するＴ／Ｕ５０３−１と、リモコンリレー５０１−５〜５０１−８を駆動するＴ／Ｕ５０３−２とを備えている。
【０００６】
スイッチユニット５０５は、操作者によって操作（オンオフ操作）等が行われると共に照明機器５０１の点消灯状態を表示する操作表示端末であり、例えば、操作者の操作を受付ける１又は複数（図８では８個）のスイッチＳＷ（ＳＷ−１〜ＳＷ−８）と、スイッチＳＷに近接して設けられ、点消灯状態を表示する例えば発光ダイオード等の発光素子を備える表示部ＤＳ（ＤＳ−１〜ＤＳ−８）とを備えて構成される。そして、各スイッチＳＷには、スイッチＳＷのアドレス（スイッチアドレス）がそれぞれ割り付けられており、スイッチＳＷが操作されると当該操作が為された旨の通知（スイッチ状態）及び自機のアドレスとを含む信号を通信線５０６を介して伝送ユニット５０４に送信するようにされており、各スイッチＳＷによって、各照明機器５０１を個別に制御したり、グループ制御したり、パターン制御したりというような多様な制御が可能になっている。
【０００７】
伝送ユニット５０４は、スイッチユニット５０５から通信線５０６を介して送信されたスイッチＳＷのスイッチ状態を示す信号に応じてＴ／Ｕ５０３及びリモコンリレー５０２を介して照明機器５０１の通電を制御すると共に照明機器５０１のオンオフ状態を監視する監視制御親機である。伝送ユニット５０４は、スイッチユニット５０５の各スイッチＳＷのスイッチアドレスと、各照明機器５０１に割り付けられた照明機器５０１のアドレス（負荷アドレス）とを対応付ける対応テーブル、及び、リモコンリレー５０２のオンオフ状態（照明機器５０１の点消灯状態）を示す動作状態テーブルを記憶している。スイッチユニット５０５のスイッチＳＷが操作者によって操作され当該スイッチ状態及びスイッチアドレスを含む信号を受信すると、伝送ユニット５０４は、スイッチアドレスに基づいて対応テーブルから制御対象の１又は複数の照明機器５０１を検索し、この検索した照明機器５０１の現在の動作状態を動作状態テーブルから検索し、そして、この照明機器５０１を現在の動作状態とは逆の動作状態となるようにこの照明機器５０１に対応するリモコンリレー５０２をオンオフ制御することによって照明機器５０１の通電を制御する。
【０００８】
負荷アドレスは、例えば、Ｔ／Ｕ５０３に割り当てられた番号（負荷チャンネル）と、リモコンリレー５０２を接続するＴ／Ｕ５０３の接続端子（接続ポート）に割り当てられた番号（負荷ナンバー）とから構成されている。例えば、Ｔ／Ｕ５０３−１の負荷チャンネルが「００」で照明機器５０１−１の通電を制御するリモコンリレー５０１−１が接続される接続端子の負荷ナンバーが「０１」にされている場合には、照明機器５０１−１の負荷アドレスは、「０００１」である。
【０００９】
通信線５０６を伝送する上記信号について説明すると、伝送ユニット５０４からＴ／Ｕ５０３及びスイッチユニット５０５へ送信される信号は、例えば、図９（Ａ）に示すように、信号送出開始を示すスタートパルス信号ＳＴと、信号モードを示すモードデータ信号ＭＤと、各Ｔ／Ｕ５０３及びスイッチユニット５０５を呼出す８ビットのアドレスデータ信号ＡＤと、負荷機器を制御するための制御データ信号ＣＤと、誤り制御のためのチェックサムデータ信号ＣＳと、Ｔ／Ｕ５０３及びスイッチユニット５０５からの返信待機信号ＷＴとを備えて構成されている±２４Ｖの交流の時分割多重信号であり、パルス幅変調によってデータが伝送されるようになっている。
【００１０】
一方、各Ｔ／Ｕ５０３およびスイッチユニット５０５では、通信線５０６を介して伝送された上記信号のアドレスデータ信号ＡＤと自機に予め設定されているアドレスとを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。このような動作を、予め定める周期毎に各スイッチユニット５０５及びＴ／Ｕ５０３に対して行っている。また、スイッチユニット５０５やＴ／Ｕ５０３から送信すべきデータが生じると、スイッチユニット５０５やＴ／Ｕ５０３は、図９（Ｂ）で示すように、スタートパルス信号ＳＴに同期した割り込み信号Ｖｉを伝送ユニット５０４に送信する。伝送ユニット５０４では、この割込み信号Ｖｉを受信すると、モードデータ信号ＭＤをアドレス確認モードに設定した信号を通信線５０６に送信することにより、この割り込み信号Ｖｉを発生させた端末（スイッチユニット５０５やＴ／Ｕ５０３）を検出してアクセスし、監視データ信号を返信させる。
【００１１】
一方、特許文献１には、このような照明監視制御システムに好適なリモコンリレー等が開示されている。図１０は、特許文献１に係る遠隔監視制御システムの構成を示す回路図である。図１０において、特許文献１に係る遠隔監視制御システム１０００に用いられるリモコンリレー１０１３は、信号線１００４で中央制御装置（不図示）と接続された制御用端末器１００３によってオンオフ駆動される。制御用端末器１００３は、アドレス設定部１０１４によって固有アドレスデータが設定されており、信号線１００４を介して受信された信号のアドレスと自機の固有アドレスとが一致した場合に、その信号の制御データ信号を取り込み、この制御データ信号に基づいてリモコンリレー１０１３を駆動する。
【００１２】
リモコンリレー１０１３は、交流電源ＡＣを降圧トランスＴで降圧した電圧を電源として動作し、励磁コイルＬに流れる電流方向に応じて主接点（不図示）の切換えを行う。このリモコンリレー１０１３は、ＳＣＲＱ１、Ｑ２の何れかの導通によって励磁コイルＬに励磁電流が流れ、これらＳＣＲＱ１、Ｑ２の導通制御は、制御用端末器１００３の出力に応じて動作するドライバ１０１６によって行われる。また、励磁コイルＬに流れる電流方向の規制は、励磁コイルＬに直列に接続された補助接点ｒと、この補助接点ｒの切換えに応じて励磁コイルＬに流れる電流方向を一方向に規制するダイオードＤ１、Ｄ２とで行っている。ダイオードＤ１、Ｄ２は、電流方向において互いに逆向きで補助接点ｒと接続される。
【００１３】
そして、リモコンリレー１０１３は、ＳＣＲＱ１、Ｑ２と並列にオン動作表示用のホトカプラＰＣ１及びオフ動作表示用のホトカプラＰＣ２が接続されており、ホトカプラＰＣ２の発光ダイオードＬＤ２は、ホトカプラＰＣ１の発光ダイオードＬＤ１と逆向きに接続されている。
【００１４】
ここで、このリモコンリレー１０１３では、ダイオードＤ１側に補助接点ｒが切り換わった場合に主接点がオン状態としてあり、ダイオードＤ２側に補助接点ｒが切り換わった場合に主接点がオフ状態としてある。このため、補助接点ｒがダイオードＤ１側に切り換わった場合に、発光ダイオードＬＤ１が点灯され、この点灯により、リモコンリレー１０１３のオン動作表示が為され、そして、ホトトランジスタＰＴ１の導通によってリモコンリレー１０１３がオンしていることを示す動作信号が制御用端末器１００３に返信される。一方、補助接点ｒがダイオードＤ２側に切り換わった場合に、発光ダイオードＬＤ２が点灯され、この点灯により、リモコンリレー１０１３のオフ動作表示が為される。
【００１５】
また、ホトカプラＰＣ１、ＰＣ２の出力は、オア回路１０１７を介して制御用端末器１００３の信号処理部１０１５に入力される。このため、リモコンリレー１０１３が正常動作している場合には、補助接点ｒの切換えに応じて発光ダイオードＬＤ１又は発光ダイオードＬＤ２の何れかが発光するため、オア回路１０１７から動作信号が信号処理部１０１５に入力されるが、リモコンリレー１０１３が故障している場合には、発光ダイオードＬＤ１及び発光ダイオードＬＤ２の何れも消灯するため、オア回路１０１７から動作信号が信号処理部１０１５に入力されない。これによって制御用端末器１００３は、リモコンリレー１０１３におけるコイル断線や補助接点ｒの接触不良等の異常を認識することができる。
【００１６】
この特許文献１に開示のリモコンリレー１０１３は、図１０に破線で示すホトカプラＰＣ２及びオア回路１０１７を備えない特許文献１に対する従来のリモコンリレーにおいて、ホトカプラＣＰ１でリモコンリレーのオンオフ表示が為されるがリモコンリレーの異常の場合にはホトカプラＰＣ１の発光ダイオードＬＤ１がオフの場合と同様に消灯するので、リモコンリレーのオフ状態と異常とを区別することができない、あるいは、制御用端末器１００３がリモコンリレー１０１３の異常を認識できないという問題点を解決するために、リモコンリレーのオフ動作表示用のホトカプラＰＣ２と、異常を制御用端末器１００３が認識するためのオア回路１０１７とが設けられたものである。
【００１７】
なお、図１０に示す制御用端末器１００３が図８に示すＴ／Ｕ５０３に相当し、図１０に示すリモコンリレー１０１３が図８に示すリモコンリレー５０２に相当し、図１０に示す信号線１００４が図８に示す通信線５０６に相当し、そして、図１０に不図示の上記中央制御装置が図８に示す伝送ユニット５０４に相当している。
【非特許文献１】「多重伝送  フル２線式リモコン」、松下電工株式会社、２００４年５月、ＷＷＣＴ１Ｂ１８６、ｐ１６、ｐ４８
【特許文献１】特開平２−１８８０９６号公報
【発明の開示】
【発明が解決しようとする課題】
【００１８】
ところで、上述の制御用端末器１００３は、リモコンリレー１０１３の異常を認識することはできるが、それを表示する表示手段がなく、ユーザに伝える手段がないという不都合があった。そのため、リモコンリレー１０１３に異常が生じた場合にこの異常なリモコンリレー１０１３を探索調査する必要があり非常な手間を要していた。また、上述の制御用端末器１００３は、リモコンリレー１０１３が制御用端末器１００３に接続されていない場合でもオア回路１０１７から動作信号が信号処理部１０１５に入力されないことになるため、リモコンリレー１０１３がオフ動作であるのか、あるいは、接続されていないのかを区別することができないという不都合があった。
【００１９】
本発明は、上述の事情に鑑みて為された発明であり、リレーの異常を検知すると共にリレーの異常を表示することができる制御装置を提供することを目的とする。そして、このような制御装置を用いた制御システムを提供することを目的とする。
【課題を解決するための手段】
【００２０】
上述の目的を達成するために、本発明の一態様に係る、一対の信号線から成る通信線で通信可能に接続された１又は複数の操作端末器からの操作信号に応じて、着脱可能に接続された１又は複数のリレーを介して負荷機器の通電を制御する制御装置は、前記リレーに対応して設けられ該リレーの異常を検知する異常検知部と、前記異常検知部の検知結果に応じて前記リレーの異常を表示する異常表示部とを備えることを特徴とする。
【００２１】
そして、上述の制御装置において、前記異常検知部は、前記リレーの接続の有無を検知する存在検知部と、前記リレーのオンオフの動作状態を監視する状態監視部と、前記リレーのオンオフの制御目標を記憶する制御目標記憶部と、前記存在検知部の検知結果、前記状態監視部の監視結果及び前記制御目標記憶部の記憶内容に応じて前記リレーが異常であるか否かを判断する異常判断部とを備えることを特徴とする。
【００２２】
また、これら上述の制御装置において、前記異常検知部が前記リレーの異常を検出した場合に前記リレーを１又は複数回数再度制御するリトライ処理部をさらに備えたことを特徴とする。
【００２３】
さらに、これら上述の制御装置において、前記リレーの制御回数を計数して該計数値が規定回数に達した場合に、前記リレーを交換する推奨時期に達したことを表示するリレー交換推奨表示部をさらに備えたことを特徴とする。
【００２４】
そして、本発明の他の一態様に係る、入力操作に応じて操作信号を送信する操作端末器と、負荷機器への通電をオンオフするリレーと、一対の信号線から成る通信線で１又は複数の前記操作端末器と通信可能に接続されると共に１又は複数の前記リレーが着脱可能に接続され、前記操作端末器からの前記操作信号に応じて前記リレーを介して前記負荷機器の通電を制御する制御装置とを備える制御システムは、前記制御装置が、上述うちの一の制御装置であることを特徴とする。
【発明の効果】
【００２５】
このような構成の制御装置及び制御システムは、リレーの異常を検知する異常検知部に加えて、その異常を表示する異常表示部を備えるので、リレーに異常が生じた場合に、ユーザは、異常なリレーを容易に発見することができ、その手間が大幅に削減される。
【発明を実施するための最良の形態】
【００２６】
以下、本発明に係る実施形態を図面に基づいて説明する。なお、各図において同一の符号を付した構成は、同一の構成であることを示し、その説明を省略する。
（実施形態の構成）
図１は、実施形態に係る監視制御システムの構成を示す図である。図２は、実施形態に係る監視制御システムに用いられる監視制御装置の電気的な構成を示すブロック図である。図３は、実施形態に係る監視制御システムに用いられる監視制御装置の外観斜視図である。図４は、リレー制御目標テーブルの構成を示す図である。
【００２７】
図１において、実施形態に係る監視制御システム１は、制御装置の一例である監視制御装置１１と、リレーの一例である１又は複数のリモコンリレー１２と、負荷機器の一例である１又は複数の照明機器５０１と、操作端末器の一例であるスイッチユニット５０５とを備えて構成され、監視制御装置１１とスイッチユニット５０５とは、一対の信号線から成る通信線５０６によって互いに通信可能に接続されている。この図１に示す例では、７個の照明機器５０１−１〜５０１−７が監視制御システム１に備えられており、これに応じて７個のリモコンリレー１２−１〜１２−７が監視制御装置１１に装着されている。また、リモコンリレー１２−８によってリモコンリレー１２を監視制御装置１１に装着する様子が示されている。なお、この実施形態において、背景技術に係る構成と同様の構成は、同一の符号を付しており、その説明を省略する。
【００２８】
監視制御装置１１は、スイッチユニット５０５から通信線５０６を介して送信されたスイッチＳＷの監視データ信号に応じてリモコンリレー１２を個別にオンオフ制御することによりリモコンリレー１２を介して照明機器５０１の通電を制御すると共に、リモコンリレー１２の存在の有無やそのコイル断線や補助接点ｒの接触不良等の異常やそのオンオフの動作状態（オンオフ状態）（言い換えれば、照明機器５０１の点消灯の動作状態（点消灯状態））等のリモコンリレー１２の状態を個別に監視する装置である。監視制御装置１１は、言わば、少なくとも背景技術に係る伝送ユニット５０４の機能とＴ／Ｕ５０３の機能とを兼ね備えた装置となっている。そのため、背景技術に係る伝送ユニット５０４及びＴ／Ｕ５０３を用いた監視制御システム５００よりも本発明に係る監視制御装置１１を用いた監視制御システム１の方が設置面積を要せず設置場所の自由度が向上している。また、伝送ユニット５０４とＴ／Ｕ５０３との間の通信線５０６や伝送ユニット及びＴ／Ｕへの個別の電力線を配線する必要がないので、本発明に係る監視制御システム１の方がより簡単に施工することができ、また、配線ミスも抑制される等の施工性が向上している。
【００２９】
このような監視制御装置１１の電気的な構成は、例えば、図２に示すように、受電端子部２１と、電源部２２と、電圧検出部２３と、リレー制御用電源部２４と、送受信部２５と、通信端子部２６と、１又は複数のリレー処理部２７と、制御部２８とを備えて構成される。
【００３０】
受電端子部２１は、電力の供給を受けるべく、電力線を接続するための端子であり、３個の端子２１−１〜２１−３を備えて構成される。電源部２２は、不図示の電源スイッチのオンオフに応じて受電端子部２１から電圧の供給を受け、この受電端子部２１を介して供給された電圧を整流及び降圧することによって５Ｖや２４Ｖ等の予め定める低電圧に安定化させて、リレー制御用電源部２４、送受信部２５及び制御部２８等の監視制御装置１１における電力を必要とする各部に供給する回路である。電圧検出部２３は、電源部２２から制御部２８へ供給される電圧値を検出する回路である。リレー制御用電源部２４は、電源部２２から供給された電圧をリモコンリレー１２を制御するために必要な電圧値に安定化させてリレー処理部２７を介してリモコンリレー１２に供給する回路である。
【００３１】
送受信部２５は、一対の信号線から成る通信線５０６を介してスイッチユニット５０５と通信を行う回路であり、制御部２８からのデータに基づいて本監視制御システム１の通信プロトコルに従った信号を生成して通信線５０６へ送出すると共に通信線５０６からの信号を制御部２８が処理可能な形式のデータに変換する。
【００３２】
監視制御装置１１とスイッチユニット５０５との間の通信における上記信号は、図９に示す背景技術の信号と同様である。即ち、監視制御装置１１からスイッチユニット５０５へ送信される信号は、図９（Ａ）に示すように、スタートパルス信号ＳＴと、モードデータ信号ＭＤと、アドレスデータ信号ＡＤと、制御データ信号ＣＤと、チェックサムデータ信号ＣＳと、スイッチユニット５０５からの返信待機信号ＷＴとを備えて構成されている±２４Ｖの交流の時分割多重信号であり、パルス幅変調によってデータが伝送されるようになっている。一方、各スイッチユニット５０５では、通信線５０６を介して伝送された上記信号のアドレスデータ信号ＡＤと自機に予め設定されているアドレス（スイッチアドレス）とを比較し、一致する場合にその信号の制御データ信号ＣＤを取込むと共に、返送待機信号ＷＴの期間に、スイッチ状態、監視データ、負荷動作確認データなどの監視データ信号を、通信線５０６間に低抵抗を接続して得られる電流モードの信号で返信する。送受信部２５は、制御部２８の制御に基づいてこのような動作を、予め定める周期毎に各スイッチユニット５０５に対して行っている。また、スイッチユニット５０５から送信すべきデータが生じると、スイッチユニット５０５は、図９（Ｂ）で示すように、スタートパルス信号ＳＴに同期した割り込み信号Ｖｉを監視制御装置１１に送信する。監視制御装置１１は、この割込み信号Ｖｉを受信すると、モードデータ信号ＭＤをアドレス確認モードに設定した信号を通信線５０６に送信することにより、この割り込み信号Ｖｉを発生させたスイッチユニット５０５を検出してアクセスし、監視データ信号を返信させる。
【００３３】
通信端子部２６は、通信線５０６における一対の信号線を接続するための端子であり、そのため、２個の端子２６−１、２６−２を備えて構成される。
【００３４】
リレー処理部２７は、リモコンリレー１２が接続され、リモコンリレー１２に関する各種処理を行うブロックである。リレー処理部２７は、制御部２８の制御に基づきリモコンリレー１２をオンオフ駆動し、リモコンリレー１２の存在の有無やその異常やそのオンオフ状態（言い換えれば、照明機器５０１の点消灯状態）等のリモコンリレー１２の状態を検出して制御部２８に通知し、そして、リモコンリレー１２の各種の状態を表示する。リレー処理部２７の個数は、任意であり、監視制御装置１１の仕様により決定される。本実施形態の監視制御装置１１は、４８個のリモコンリレー１２の取り扱いが可能であり、そのうち８個のリモコンリレー１２を直接取り扱い可能とすべく、８個のリレー処理部２７−１〜２７−８を備えている。なお、残余の４０個のリモコンリレー１２は、監視制御装置１１に不図示の増設ユニットが接続され、この増設ユニットを介して監視及び制御される。
【００３５】
このようなリレー処理部２７は、例えば、リレー接続端子部３１と、リレーオン制御部３２と、リレーオフ制御部３３と、リセットスイッチ部３４と、交換推奨表示部３５と、リレー状態監視部３６と、リレー異常表示部３７と、リレー存在検知部３８とを備えて構成される。なお、図２には、リレー処理部２７−１の構成のみが示され、リレー処理部２７−２〜２７−８の構成は、リレー処理部２７−１の構成と同一なので、省略されている。
【００３６】
リレー接続端子部３１は、リモコンリレー１２を電気的に接続するための端子であり、リレーオン制御部３２と接続するオン制御信号端子と、リレーオフ制御部３３と接続するオフ制御信号端子と、リレー状態監視部３６と接続するオンオフ状態監視端子と、接地されるコモン端子と、リレー存在検知部３８と接続する存在検知端子とを備えて構成される。図２には、リレー処理部２７−１の、オン制御信号出力端子３１−１１、オフ制御信号出力端子３１−１２、オンオフ状態監視端子３１−１３、コモン端子３１−１４及び存在検知端子３１−１５が示されている。
【００３７】
リレーオン制御部３２は、制御部２８の制御に基づいて、主接点を閉じてリモコンリレー１２をオンに駆動するオン制御信号をオン制御信号端子を介してリモコンリレー１２に出力する回路である。リモコンリレー１２の主接点が閉じられることによって照明機器５０１に通電が為されて照明機器５０１が点灯する。リレーオフ制御部３３は、制御部２８の制御に基づいて、主接点を開いてリモコンリレー１２をオフに駆動するオフ制御信号をオフ制御信号端子を介してリモコンリレー１２に出力する回路である。リモコンリレー１２の主接点が開かれることによって照明機器５０１の通電が遮断されて照明機器５０１が消灯する。
【００３８】
リセットスイッチ部３４は、後述のリレー制御回数カウンタを０にリセットする回路であり、例えばタクトスイッチや押しボタンスイッチ等のスイッチとその周辺回路を備えて構成され、スイッチが操作されるとリセット信号が制御部２８に出力される。交換推奨表示部３５は、制御部２８の制御に基づいて、リモコンリレー１２を交換する推奨時期に達したことを表示するための回路であり、例えば、発光ダイオード等の発光素子及びその周辺回路を備えて構成される。
【００３９】
リレー状態監視部３６は、リモコンリレー１２のオンオフ状態を検出する回路であり、例えばリレー接続端子３１のオンオフ状態監視端子と制御部２８との間の信号線を抵抗素子Ｒ１を介して電源部２２で生成された駆動電源Ｖｃｃ（例えば５Ｖ）に接続する回路である。リレー接続端子３１のオンオフ状態監視端子に接続するリモコンリレー１２側の端子は、リモコンリレー１２の主接点が閉じる（オンする）とリレー接続端子３１のコモン端子に接続するリモコンリレー１２側の端子との間における電気的な接続が開かれ、リモコンリレー１２の主接点が開く（オフする）とリレー接続端子３１のコモン端子に接続するリモコンリレー１２側の端子との間が電気的に接続されるように構成されている。例えば、リレー接続端子部３１のオンオフ状態監視端子に接続するリモコンリレー１２側の端子は、リモコンリレー１２の主接点の開閉に連動して閉開する接点を介してリレー接続端子部３１のコモン端子に接続するリモコンリレー１２側の端子に接続される。このため、リモコンリレー１２の主接点が閉じてリモコンリレー１２のオンオフ状態がオン状態である場合にはハイレベルの検出信号が制御部２８に出力され、リモコンリレー１２の主接点が開いてリモコンリレー１２のオンオフ状態がオフ状態である場合にはローレベルの検出信号が制御部２８に出力される。
【００４０】
リレー異常表示部３７は、制御部２８の制御に基づいて、リモコンリレー１２が異常であることを表示するための回路であり、例えば、発光ダイオード等の発光素子及びその周辺回路を備えて構成される。なお、ユーザが交換推奨表示部３５の点灯であるかリレー異常表示部３７の点灯であるかを一目で認識することができるようにする観点から、交換推奨表示部３５の点灯色とリレー異常表示部３７の点灯色とが互いに異なるように構成することが好ましい。また、この観点から一方を点滅させたり、点滅パターンが互いに異なるように構成してもよい。リレー異常表示部３７は、異常表示部の一例である。
【００４１】
リレー存在検知部３８は、リモコンリレー１２がリレー接続端子部３１に電気的に接続され存在ているか否かを検出する回路であり、例えばリレー接続端子３１の存在検知端子と制御部２８との間の信号線を抵抗素子Ｒ２を介して駆動電源Ｖｃｃに接続した回路である。リレー接続端子３１の存在検知端子に接続するリモコンリレー１２側の端子は、リレー接続端子３１のコモン端子に接続するリモコンリレー１２側の端子と直接又は低抵抗の抵抗素子を介して接続される。このため、リモコンリレー１２がリレー接続端子部３１に電気的に接続され存在ていない場合にはハイレベルの検出信号が制御部２８に出力され、リモコンリレー１２がリレー接続端子部３１に電気的に接続され存在ている場合にはローレベルの検出信号が制御部２８に出力される。このようなリレー存在検知部３８を備えることにより、監視制御装置１１は、リレー処理部２７のリレー接続端子部３１に電気的にリモコンリレー１２が接続され存在しているか否かを判定することができる。
【００４２】
制御部２８は、例えばマイクロコンピュータ及びその周辺回路を備えて構成され、監視制御装置１１における各部の当該機能に応じた制御を司るもので、スイッチユニット５０５から通信線５０６を介して送信されたスイッチＳＷの操作通知の信号に応じてリレー処理部２７によってリモコンリレー１２を個別にオンオフ駆動することで照明機器５０１の通電を制御すると共に、リレー処理部２７によってリモコンリレー１２の状態を個別に監視する回路である。制御部２８は、例えば、中央処理部（以下、「ＣＰＵ」と略記する。）４１と、記憶部４２と、不揮発性記憶部４３と、これらの周辺回路とを備えて構成される。
【００４３】
ＣＰＵ４１は、例えば、マイクロプロセッサ及びその周辺回路等を備えて構成され、機能的に、リレー処理部２７によって後述のようにリモコンリレー１２の制御を行うリレー制御処理部４１１と、リレー制御回数のバックアップの処理を行うバックアップ処理部４１２と、リレー制御回数を０にリセットする処理を行うリセット処理部４１３と、制御プログラムに従って監視制御装置１１の各部、記憶部４２及び不揮発性記憶部４３の制御を当該機能に応じて行うシステム処理部４１４とを備える。
【００４４】
記憶部４２は、機能的に、リレー制御目標情報を記憶するリレー制御目標情報記憶部４２１と、リレー制御回数情報を記憶するリレー制御回数情報記憶部４２２とを備え、後述のようにリモコンリレー１２の制御を行うリモコンリレー制御プログラムやリレー制御回数のバックアップの処理を行うバックアップ処理プログラムやリレー制御回数を０にリセットする処理を行うリセット処理プログラム等の各種プログラム、及び、リトライの回数を計数する変数であるリトライ回数カウンタやスイッチユニット５０５の各スイッチＳＷのスイッチアドレスと各照明機器５０１に割り付けられた照明機器５０１のアドレス（負荷アドレス）とを対応付ける対応テーブル等の各種プログラムの実行に必要なデータやその実行中に生じるデータ等の各種データを記憶する。記憶部４２は、例えば、ＣＰＵ４１の所謂ワーキングメモリとなるＲＡＭ（Random Access Memory）等の揮発性の記憶素子やＲＯＭ（Read Only Memory）等の不揮発性の記憶素子等を備えて構成される。
【００４５】
リレー制御目標情報は、リモコンリレー１２の制御目標を表す情報であり、リモコンリレー１２ごとに生成される。リレー制御目標情報は、例えば図４に示すように、回路番号を登録する回路番号フィールド５１と制御目標を登録する制御目標フィールド５２の各フィールドを備え、リモコンリレー１２ごとにレコードが生成されるリレー制御目標テーブル５０で表される。回路番号は、リモコンリレー１２を接続する監視制御装置１１のリレー処理部２７に割り当てられるアドレスとしての番号であり、負荷アドレスとなる。本実施形態では、「０１」から「０８」までの回路番号がリレー処理部２７−１からリレー処理部２７−８まで順に割り当てられている。例えば、リレー処理部２７−１に接続する照明機器５０１−１の負荷アドレスは、リレー処理部２７−１の回路番号が「０１」にされているので、「０１」である。リモコンリレー１２の制御目標情報は、このリモコンリレー１２の回路番号が回路番号フィールド５１に登録され、この回路番号フィールド５１に対応する制御目標フィールド５２にこのリモコンリレー１２の制御目標が登録されることによってリレー制御目標情報記憶部４２１に記憶される。
【００４６】
リレー制御回数情報は、リモコンリレー１２を制御した回数を表す情報であり、リモコンリレー１２（回路番号）ごとに生成される。リレー制御回数情報は、例えば、リモコンリレー１２ごとに用意された、リモコンリレー１２の制御回数を計数する変数であるリレー制御回数カウンタが用いられる。リモコンリレー１２の制御回数は、オン及びオフを個別に１回と数えてもよいし、オン及びオフで１回と数えてもよいし、オンのみを数えてもよいし、オフのみを数えてもよい。この数え方に合わせて、リモコンリレー１２の交換を推奨する時期を判定する閾値である交換推奨回数が決定される。リモコンリレー１２には、主接点の開閉による主接点の消耗等により製品寿命があり、メーカが動作保証をしている制御回数がこの交換推奨回数に設定される。
【００４７】
不揮発性記憶部４３は、機能的に、リレー制御回数情報をバックアップとして記憶するバックアップリレー制御回数情報記憶部４３１を備え、例えば、ＥＥＰＲＯＭ（Electrically Erasable Programmable Read Only Memory）等の書換え可能な不揮発性の記憶素子を備えて構成される。
【００４８】
また、このような監視制御装置１１の外観は、図３に示すように、上記受電端子部２１の各端子２１−１〜２１−３及び通信端子部２６の各端子２６−１、２６−２を外部に露出すると共に電源部２２、電圧検出部２３、リレー制御用電源部２４、送受信部２５及び制御部２８を配設した基板を内蔵する略直方体形状の本体Ａが矩形の底板Ｃの一方辺に形成されている。この本体Ａの一方端には、その上面から側面に絶縁壁Ｇ−１〜Ｇ−４が形成されており、絶縁壁Ｇ−１〜Ｇ−４の各間Ｈ−１〜Ｈ−３には受電端子部２１の各端子２１−１〜２１−３がそれぞれ設けられている。また、本体Ａの他方端には、その上面Ｊに通信端子部２６の各端子２６−１、２６−２が設けられている。
【００４９】
そして、リレー接続端子部３１の各端子３１−１〜３１−５を外部に露出すると共にリレー処理部２７を配設した基板を内蔵する横長の略直方体形状のリレー接続部Ｂが本体Ａの他方端から底板Ｃの一方側辺に沿って形成されている。リレー接続部Ｂの内側側面には、リレー接続端子部３１の各端子３１−１〜３１−５が設けられた凹部Ｅがこの監視制御装置１１に接続可能なリモコンリレー１２の個数分（図３では凹部Ｅ−１〜Ｅ−８の８個）だけ形成されている。そして、リレー接続部Ｂの上面には、リセットスイッチ部３４のスイッチが操作可能なように、交換推奨表示部３５の発光素子が見えるように、及び、リレー異常表示部３７の発光素子が見えるように、窓が設けられている。
【００５０】
底板Ｃの本体Ａに対向する他方辺及びリレー接続部Ｂに対向する他方側辺は、低高な壁Ｋ１、Ｋ２がそれぞれ垂直上方に立設されている。そして、壁Ｋ２には、スリット状の係合孔Ｆがこの監視制御装置１１に接続可能なリモコンリレー１２の個数分（図３では係合孔Ｆ−１〜Ｆ−８の８個）だけ形成されている。
【００５１】
図１に戻って、リモコンリレー１２は、監視制御装置１１の制御によって電力線から照明機器５０１への通電をオンオフし、そのオンオフ状態を照明機器５０１の点消灯状態として監視制御装置１１へ出力し、そして、その存在を監視制御装置１１に検知可能としているリレーである。リモコンリレー１２は、例えば、監視制御装置１１のリモコンリレー接続端子３１の各端子３１−１〜３１−５に電気的に接続する各端子と、端子から入力された制御信号に応じて照明機器５０１への通電をオンオフするリレー回路と、リレーのオンオフ状態を端子に出力する回路と、リモコンリレー接続端子３１によってリモコンリレー１２の存在を検知可能にしている回路と、監視制御装置１１の係合孔Ｆに係合する係合爪とを備え、監視制御装置１１に着脱可能に構成されている。
【００５２】
リモコンリレー１２は、その端子を監視制御装置１１のリレー接続端子部３１の各端子３１−１〜３１−５に接続すると共にその係合爪を監視制御装置１１の係合孔Ｆに係合させることで、監視制御装置１１に装着される。このため、監視制御装置１１とリモコンリレー１２との間の配線が不要であるので、本発明に係る監視制御システム１の方がより簡単に施工することができ、また、配線ミスも抑制される等の施工性が向上している。
【００５３】
次に、本実施形態の動作について説明する。
（実施形態の動作）
図５は、リモコンリレーを制御する場合の監視制御装置の動作を示すフローチャートである。
【００５４】
例えばスイッチユニット５０５のスイッチＳＷが操作者によって操作され当該操作通知及びスイッチアドレスを含む信号が通信線５０６、通信端子部２６及び送受信部２５を介して受信されると、制御部２８のＣＰＵ４１におけるリレー制御処理部４１１は、スイッチアドレスに基づいて対応テーブルから制御対象の１又は複数の照明機器５０１に対応するリモコンリレー１２を検索し、この検索したリモコンリレー１２の現在の制御目標をリレー制御目標テーブルから検索する。そして、リレー制御処理部４１１は、この検索したリモコンリレー１２を現在の制御目標とは逆の制御目標で制御すべくリレー処理部２７によってリモコンリレー１２をオンオフ駆動し、そして、この新たな制御目標を記憶部４２のリレー制御目標情報４２１に記憶されているリレー制御目標テーブル５０に登録し、記憶する（Ｓ１１）。
【００５５】
例えば、リモコンリレー１２の現在の制御目標がオンである場合には、リレー制御処理部４１１は、リモコンリレー１２をオフに駆動すべく、当該リモコンリレー１２に対応するリレー処理部２７のリレーオフ制御部３３に制御信号を出力すると共に、回路番号フィールド５１に当該リレー処理部２７の回路番号を登録するリレー制御目標テーブル５０のレコードにおける制御目標フィールド５２にオフを登録する。また例えば、リモコンリレー１２の現在の制御目標がオフである場合には、リレー制御処理部４１１は、リモコンリレー１２をオンに駆動すべく、当該リモコンリレー１２に対応するリレー処理部２７のリレーオン制御部３２に制御信号を出力すると共に、回路番号フィールド５１に当該リレー処理部２７の回路番号を登録するリレー制御目標テーブル５０のレコードにおける制御目標フィールド５２にオンを登録する。
【００５６】
次に、リレー制御処理部４１１は、記憶部４２のリレー制御回数情報記憶部４２２に記憶されている、処理Ｓ１１で駆動したリモコンリレー１２に対応するリレー制御回数カウンタを「１」だけカウンタアップし、新たなリレー制御回数を記憶する（Ｓ１２）。
【００５７】
次に、リレー制御処理部４１１は、当該リモコンリレー１２に対応するリレー処理部２７のリレー状態監視部３６の出力及びリレー存在検知部３８の出力に基づいて当該リモコンリレー１２の状態を取得する（Ｓ１３）。リレー制御処理部４１１は、リレー存在検知部３８の出力に基づいてリレー処理部２７のリレー接続端子部３１にリモコンリレー１２が電気的に接続されているか否かを判定することができるので、リレー状態監視部３６の出力を参照することにより、リモコンリレー１２のオンオフの動作状態を正しく判定することができる。即ち、リレー存在検知部３８の出力がローレベルであってリレー状態監視部３６の出力がローレベルである場合には、リレー制御処理部４１１は、リレー接続端子部３１にリモコンリレー１２が電気的に接続されている場合であるから、リモコンリレー１２の動作状態がオフ状態であると正確に判定することができ、また、リレー存在検知部３８の出力がローレベルであってリレー状態監視部３６の出力がハイレベルである場合には、リレー制御処理部４１１は、リレー接続端子部３１にリモコンリレー１２が電気的に接続されている場合であるから、リモコンリレー１２の動作状態がオン状態であると正確に判定することができる。
【００５８】
次に、リレー制御処理部４１１は、この取得したリモコンリレー１２のオンオフ状態と、リレー制御目標情報記憶部４２１のリレー制御目標テーブル５０に登録されているこのリモコンリレー１２に対応する制御目標と、を比較することにより、この取得したリモコンリレー１２のオンオフ状態が制御目標と一致するか否かを判断する（Ｓ１４）。このようにリレー制御処理部４１１は、異常判断部の一例として機能しており、また、リレー状態監視部３６、リレー存在検知部３８及びリレー制御目標情報記憶部４２１と共に、異常検知部の一例として機能している。
【００５９】
この処理Ｓ１４における判断の結果、一致しない場合（Ｎｏ）には、リモコンリレー１２の主接点が制御目標の通りに作動しなかった場合であり、リレー制御処理部４１１は、処理Ｓ１１の制御目標で再度制御すべく、リレー処理部２７によってリモコンリレー１２のオンオフ制御を行ってリトライし、リレー処理部２７のリレー状態監視部３６の出力及びリレー存在検知部３８の出力に基づいてリモコンリレー１２の状態を取得する（Ｓ２１）。リモコンリレー１２の主接点が軽溶着している等の何らかの原因で一時的な異常（軽度の異常）がリモコンリレー１２に生じて制御目標の通りに動作しなかった場合において、このようなリトライを行うことによって一時的な異常からリモコンリレー１２を回復させることができ、リモコンリレー１２を制御目標の通りに動作させることができる。
【００６０】
次に、リレー制御処理部４１１は、処理Ｓ２１で取得したリモコンリレー１２のオンオフ状態とリレー制御目標情報記憶部４２１のリレー制御目標テーブルにおける制御目標とを比較することにより、この取得したリモコンリレー１２のオンオフ状態が制御目標と一致するか否かを判断する（Ｓ２２）。
【００６１】
この処理Ｓ２２における判断の結果、一致しない場合（Ｎｏ）には、リモコンリレー１２の主接点が制御目標の通りに作動しなかった場合であり、リレー制御処理部４１１は、リトライ回数カウンタの値が予め定められたリトライ回数に達しているか否かを判定することによって、リトライの終了である否かを判断する（Ｓ２３）。リトライ回数は、任意の回数でよく、仕様によって決定され、例えば、３回や４回等である。
【００６２】
この処理Ｓ２３の判断の結果、リトライ回数カウンタがリトライ回数に達していなくてリトライの終了ではない場合（Ｎｏ）には、リレー制御処理部４１１は、リトライ回数カウンタを「１」だけカウンタアップし（Ｓ２５）、さらにリトライを行うべく処理を処理Ｓ２１に戻す。このように複数回のリトライを行うことによってリモコンリレー１２の一時的な異常をより効果的に解消することができる。このようにリレー制御処理部４１１は、リトライ処理部の一例として機能している。
【００６３】
一方、処理Ｓ２３における判断の結果、リトライ回数カウンタがリトライ回数に達していてリトライの終了である場合（Ｙｅｓ）には、リレー制御処理部４１１は、リレー異常表示部３７に異常検知を表示させるべく制御信号をリレー異常表示部３７に出力し（Ｓ２４）、処理を終了する。リレー異常表示部３７は、この制御信号により発光素子を点灯させ、主接点の溶着や内部回路の電気的な断線等のリモコンリレー１２の異常を表示する。この表示によってユーザは、リモコンリレー１２の異常を容易に知ることができ、リモコンリレー１２を新規に交換する等の対応をとることができる。
【００６４】
一方、処理Ｓ１４及び処理Ｓ２２における判断の結果、一致する場合（Ｙｅｓ）には、リモコンリレー１２のオンオフ動作が制御目標の通りに制御された場合であり、リレー制御処理部４１１は、リレー制御回数カウンタの値が予め定められた交換推奨回数以上であるか否かを判断する（Ｓ１５）。
【００６５】
この処理Ｓ１５の判断の結果、リレー制御回数カウンタの値が交換推奨回数未満である場合（Ｎｏ）には、リレー制御処理部４１１は、処理を終了し、一方、この判断の結果、リレー制御回数カウンタの値が交換推奨回数以上である場合（Ｙｅｓ）には、リレー制御処理部４１１は、交換推奨表示部３５に交換推奨時期の到来を表示させるべく制御信号を交換推奨表示部３５に出力し（Ｓ１６）、処理を終了する。交換推奨表示部３５は、この制御信号により発光素子を点灯させ、リモコンリレー１２を交換する推奨時期に達したことを表示する。この表示によってユーザは、リモコンリレー１２を交換すべき推奨時期になったことを知ることができ、リモコンリレー１２に異常が生じる前にリモコンリレー１２を新規に交換することができる。そのため、リモコンリレー１２の製品寿命による監視制御システム１の不動作等のトラブルを事前に回避することができ、スイッチユニット５０５のスイッチＳＷの操作に応じて照明機器５０１が確実に制御され得るから、監視制御システム１の信頼性が向上し得る。このようにリレー制御処理部４１１及び交換推奨表示部３５は、リレー交換推奨表示部の一例として機能している。
【００６６】
このリモコンリレー１２の交換推奨時期の到来を判定するためのリレー制御回数カウンタは、監視制御装置１１の電源が遮断された場合等のように制御部２８が動作を停止する場合でも保持しておく必要がある。そのため、制御部２８のＣＰＵ４１におけるバックアップ処理部４１２が次のように動作している。
【００６７】
図６は、バックアップ処理を説明するための図であり、図６（Ａ）は、バックアップ処理における監視制御装置の動作を示すフローチャートであり、図６（Ｂ）は、バックアップ処理のタイミングを説明するための図である。図６（Ｂ）の横軸は、時間であり、縦軸は、電圧である。
【００６８】
図６（Ａ）において、制御部２８のＣＰＵ４１におけるバックアップ処理部４１２は、電圧検出部２３の出力から制御部２８に供給されている駆動電圧値を検出する（Ｓ３１）。次に、バックアップ処理部４１２は、駆動電圧が降下することによって、この検出した駆動電圧値が予め定めたバックアップ閾値Ｖｔに達したか否かを判断する（Ｓ３２）。
【００６９】
この判断の結果、駆動電圧がバックアップ閾値Ｖｔに達していない場合（Ｎｏ）には、バックアップ処理部４１２は、処理を処理Ｓ３１に戻し、駆動電圧がバックアップ閾値Ｖｔに達している場合（Ｙｅｓ）には、バックアップ処理部４１２は、記憶部４２のリレー制御回数情報記憶部４２２に記憶されているリレー制御回数情報（本実施形態ではリレー制御回数カウンタ）を不揮発性記憶部４３のバックアップリレー制御回数情報記憶部４３１に記憶してリレー制御回数カウンタのバックアップを行い（Ｓ３３）、処理を処理Ｓ３１に戻す。
【００７０】
このようにバックアップ処理部４１２は、電源部２２から制御部２８に供給される駆動電圧を常時監視しており、ユーザが電源スイッチ（不図示）をオフにした場合や電力線から供給される電圧が降下するように変動した場合等によって制御部２８が動作を停止する可能性がある場合において、図６に示すように、電源部２２から制御部２８に供給される駆動電圧が、監視制御装置１１内の容量値や抵抗値によって決まる時定数に従って降下して、動作時の電圧値Ｖ０（例えば５Ｖ）からバックアップ閾値Ｖｔに到達すると、バックアップ処理部４１２が上記の処理Ｓ３１、処理Ｓ３２及び処理Ｓ３３を実行することによって、駆動電圧値がバックアップ閾値Ｖｔに達した時点ｔ１からの△ｔ時間の間に、リレー制御回数情報記憶部４２２のリレー制御回数情報がバックアップリレー制御回数情報記憶部４３１に記憶される。このため、制御部２８が動作を停止する可能性がある場合に、リレー制御回数情報がバックアップされる。ここで、このように駆動電圧が降下を始めて制御部２８が完全に動作を停止する前にリレー制御回数情報をバックアップすることができるように、バックアップ閾値Ｖｔを設定する。
【００７１】
そして、制御部２８が動作を停止して監視制御装置１１の電源スイッチ（不図示）がオンされ、制御部２８がその動作を開始すると、バックアップ処理部４１２は、不揮発性記憶部４３のバックアップリレー制御回数情報記憶部４３１にバックアップされているリレー制御回数情報を記憶部４２のリレー制御回数情報記憶部４２２に記憶してリストアする。これによって電源スイッチのオフ等により制御部２８が動作を停止し、その後、電源スイッチのオン等により制御部２８が動作を再開した場合に、リレー制御回数を正確にカウントすることができる。
【００７２】
一方、リモコンリレー１２に回復できない異常が生じたために新規なリモコンリレー１２に交換した場合には、この新規なリモコンリレー１２に対して正しく交換推奨時期を表示するために、リモコンリレー１２の交換推奨時期の到来を判定するためのリレー制御回数カウンタをリセットする必要がある。そのため、制御部２８のＣＰＵ４１におけるリセット処理部４１３が次のように動作している。
【００７３】
図７は、リセット処理における監視制御装置の動作を示すフローチャートである。ユーザがリセットスイッチ部３４のスイッチを操作すると、リセットスイッチ部３４は、リセット信号を制御部２８に出力する。図７において、制御部２８のＣＰＵ４１におけるリセット処理部４１３は、割り込み入力によりこのリセット信号が入力されると（Ｓ４１）、記憶部４２のリレー制御回数情報記憶部４２２に記憶されている当該リセットスイッチ部３４に対応するリレー制御回数情報を初期値０に設定することによってリセットする（Ｓ４２）。そして、リセット処理部４１３は、当該リセットスイッチ部３４に対応する交換推奨表示部３５に制御信号を出力することによって発光素子を消灯して交換推奨表示を解消し（Ｓ４３）、当該リセットスイッチ部３４に対応するリレー異常表示部３７に制御信号を出力することによって発光素子を消灯して異常表示を解消し（Ｓ４４）、処理を終了する。このように動作することによってリレー制御回数情報が初期値０にリセットされるから、交換された新規なリモコンリレー１２に対して正しく交換推奨時期を表示することができる。
【図面の簡単な説明】
【００７４】
【図１】実施形態に係る監視制御システムの構成を示す図である。
【図２】実施形態に係る監視制御システムに用いられる監視制御装置の電気的な構成を示すブロック図である。
【図３】実施形態に係る監視制御システムに用いられる監視制御装置の外観斜視図である。
【図４】リレー制御目標テーブルの構成を示す図である。
【図５】リモコンリレーを制御する場合の監視制御装置の動作を示すフローチャートである。
【図６】バックアップ処理を説明するための図である。
【図７】リセット処理における監視制御装置の動作を示すフローチャートである。
【図８】非特許文献１に係る照明監視制御システムの構成を示すブロック図である。
【図９】伝送ユニットとターミナルユニット及びスイッチユニットとの間で送受信される信号の波形図である。
【図１０】特許文献１に係る遠隔監視制御システムの構成を示す回路図である。
【符号の説明】
【００７５】
１  監視制御システム
１１  監視制御装置
１２、５０２  リモコンリレー
２３  電圧検出部
２７  リレー処理部
２８  制御部
３１  リレー接続端子部
３２  リレーオン制御部
３３  リレーオフ制御部
３４  リセットスイッチ部
３５  交換推奨表示部
３６  リレー状態監視部
３７  リレー異常表示部
３８  リレー存在検知部
４１  ＣＰＵ
４２  記憶部
４３  不揮発性記憶部
４１１  リレー制御処理部
４１２  バックアップ処理部
４１３  リセット処理部
４２１  リレー制御目標情報記憶部
４２２  リレー制御回数情報記憶部
４３１  バックアップリレー制御回数情報記憶部
５０  リレー制御目標テーブル
５０１  照明機器
５０５  スイッチユニット
５０６  信号線
【図１】
2006252985.tif 000003
【図２】
2006252985.tif 000004
【図３】
2006252985.tif 000005
【図４】
2006252985.tif 000006
【図５】
2006252985.tif 000007
【図６】
2006252985.tif 000008
【図７】
2006252985.tif 000009
【図８】
2006252985.tif 000010
【図９】
2006252985.tif 000011
【図１０】
2006252985.tif 000012